(57)【要約】【課題】平判状衛生用紙を下から順次迅速に取り出すことができ、且つ収納箱内の平判状衛生用紙を清潔に保持することができる平判状衛生用紙の紙取り出し装置を提供する。【解決手段】上下互いに重なる複数の平判状衛生用紙９を収納したままで下から一枚ずつ取り出す紙取り出し装置であって、収納箱２内の底壁２１上に敷設されていて下から上へ力を入れられると平判状衛生用紙９を下から押圧し一番下にある衛生用紙９との間の摩擦抵抗が用紙間の摩擦抵抗より高くなる摩擦板４２と、収納箱２外に露出したハンドル４１１に操作されて摩擦板４２を上下及び前後に移すことができる操作手段４１とを備えており、摩擦板４２は、上げられてから、一番下の衛生用紙９を押圧しながら携えるように該衛生用紙９を前方へその前縁が取出口２２１から露出するまでに移され、そして該一番下の衛生用紙９への押圧を解除するように下げられてから後方へ戻される。【選択図】図２
2007008629.tif 000002
【特許請求の範囲】
【請求項１】
上下互いに重なる複数の平判状衛生用紙を収納したままで下から一枚ずつ取り出す平判状衛生用紙の紙取り出し装置であって、
前記互いに重なる複数の平判状衛生用紙を下から受持つ底壁と、前記底壁の周縁から上へ延出してなっており且つその前面になる一側面の前記底壁との堺の直上に衛生用紙を供出するための取出口が開けてある周壁とを少なくとも有する収納箱と、
前記収納箱内の前記底壁上に敷設されていて下から上へ力を入れられると前記互いに重なる複数の平判状衛生用紙を下から押圧しそれと一番下にある衛生用紙との間の摩擦抵抗が用紙間の摩擦抵抗より高くなる摩擦板と、
前記収納箱の前記底壁と前記周壁とからなった箱体に、前記収納箱外に露出したハンドルに操作されて前記摩擦板を上下及び前後に移すことができるように設置構成されている操作手段とを備えており、
それにより、前記摩擦板が上げられてから、一番下の衛生用紙を押圧しながら携えるように該衛生用紙を前方へその前縁が前記取出口から露出するまでに移され、そして該一番下の衛生用紙への押圧を解除するように下げられてから後方へ戻されることが可能であることを特徴とする平判状衛生用紙の紙取り出し装置。
【請求項２】
上下互いに重なる複数の平判状衛生用紙を収納したままで下から一枚ずつ取り出す平判状衛生用紙の紙取り出し装置であって、
前記互いに重なる複数の平判状衛生用紙を下から受持つ底壁と、前記底壁の周縁から上へ延出してなっており且つその前面になる一側面の前記底壁との堺の直上に衛生用紙を供出するための取出口が開けてある周壁とを少なくとも有する収納箱と、
前記収納箱内の前記底壁上に敷設されていて下から上へ力を入れられると前記互いに重なる複数の平判状衛生用紙を下から押圧しそれと一番下にある衛生用紙との間の摩擦抵抗が用紙間の摩擦抵抗より高くなる摩擦板と、
前記収納箱内の前記底壁と前記周壁とからなった箱体に、
前記収納箱外に露出したハンドルと、
前記摩擦板に連結されていてそれを移すことができる連結部と、
前記ハンドルと前記連結部との間に、前記箱体と、前記連結部を介して前記摩擦板を上げてから、一番下の衛生用紙を押圧しながら携えるように該衛生用紙を前方へその前縁が前記取出口から露出するまでに移し、そして該一番下の衛生用紙への押圧を解除するように下げてから後方へ戻すサイクルを行なうカム機構関係となっている作業部とを有する操作手段が設置構成されていることを特徴とする平判状衛生用紙の紙取り出し装置。
【請求項３】
前記ハンドルと前記連結部とは互いに連結して一体になっており、前記作業部はその間に左右の少なくとも一方向に突出してなっており、
また、前記底壁に前後方向に延伸している通孔が開けてあり、該通孔の左右両側の少なくとも前記一方向にある一側の前記底壁の下面に突壁が前後方向に延在しており、該突壁に前記ハンドルに連動する前記作業部を案内して前記サイクルをさせるカム溝が形成してあることを特徴とする請求項２に記載の平判状衛生用紙の紙取り出し装置。
【請求項４】
前記突壁に凹部が前後方向に延伸するように形成してあり、前記凹部のほぼ中央位置にガイドブロックが前記凹部の内周縁と前記カム溝を挟んで形成するように設置されていることを特徴とする請求項３に記載の平判状衛生用紙の紙取り出し装置。
【請求項５】
前記ガイドブロックは、前記作業部の前記カム溝内の移動を前記サイクルに従う一方方向にさせる構造を有するものであることを特徴とする請求項４に記載の平判状衛生用紙の紙取り出し装置。
【請求項６】
前記ガイドブロックは、可撓性のある前記取出口に近い前端部と遠い後端部とを有し、該前端部と該後端部との少なくとも一つが先細になる上、その先端が前記サイクルの方向を斜めに横断するように曲がっていてサイクル移動に撓んでカム溝を開け反サイクル移動に対抗してカム溝をもっと閉じることができるように構成されていることを特徴とする請求項４に記載の平判状衛生用紙の紙取り出し装置。
【請求項７】
前記作業部は、前記操作手段の前記ハンドルと前記連結部との間に軸支されているローラであって前記収納箱の前側が後側より高くなると該作業部はいつも前記凹部の前記取出口に遠い後端へ転がっていく傾向があることを特徴とする請求項４に記載の平判状衛生用紙の紙取り出し装置。
【請求項８】
前記底壁の下に、前記収納箱をその前側が後側より高くなるように保持した台座が付設されていることを特徴とする請求項７に記載の平判状衛生用紙の紙取り出し装置。
【請求項９】
前記底壁の下に、前記収納箱をほぼ水平に前記操作手段の操作を妨げないような高さまで掲げる台座が付設されており、また、前記操作手段に、いつも前記作業部を前記サイクルの後方端へ引っ張る傾向を有するスプリングが付設されており、それにより、該一番下の衛生用紙への押圧が解除されると、前記作業部は前記スプリングの引張力により前記カム溝に沿って前記サイクルの後方端に戻されることが可能であることを特徴とする請求項３に記載の平判状衛生用紙の紙取り出し装置。
【請求項１０】
前記収納箱内に、前記複数の平判状衛生用紙がすでに収納された場合、それを上から押し下げてその一番下にある一枚と前記摩擦板との間の摩擦抵抗を高くなるようにさせる押し付け部材が付設されていることを特徴とする請求項２に記載の平判状衛生用紙の紙取り出し装置。
【請求項１１】
前記収納箱における前記底壁の反対側にカバー付き上開口が形成してあり、該カバーの下面に弾性手段が下方へ延伸するように付設されていて前記収納箱内に前記複数の平判状衛生用紙が収納されてから前記カバーが前記上開口を閉めるように取り付けられた場合、前記複数の平判状衛生用紙に押されて縮む上、その弾力で前記複数の平判状衛生用紙を上から押してその一番下にある一枚と前記摩擦板との間の摩擦抵抗を高くなるようにすることを特徴とする請求項２に記載の平判状衛生用紙の紙取り出し装置。
【請求項１２】
前記収納箱内に、更に、前記複数の平判状衛生用紙がすでに収納された場合、その上面に配置されることができ、また、更に前記カバーが前記上開口を閉めるように取り付けられた場合、前記弾性手段の弾力を受けて下の前記複数の平判状衛生用紙に伝えることができる押し付け部材が付設されていることを特徴とする請求項１１に記載の平判状衛生用紙の紙取り出し装置。
【発明の詳細な説明】
【技術分野】
【０００１】
本発明は、紙取り出し装置に関し、特に、上下互いに積み重なった複数の平判状衛生用紙を簡易に下から取り出しできる紙取り出し装置に関する。
【背景技術】
【０００２】
現在、衛生用紙が包装方式によりティシュペーパーの如く通例２枚一組として一組一組が継続して箱から取出せるように交互に折り重ねられて収納されたポップアップ式、トイレットペーパーの如くロール状に巻き取られた巻取式、及び上下互いに積み重なった平判式の三つの種類に分かれている。そのうち、平判式衛生用紙は、通常、収納箱内に上下相互に畳んで置かれているから、使用時に上の取出口から適度に一枚ずつ取り出すことができる。しかしながら、このような紙取り出し方法では、指の摘み加減が巧みでなければ、衛生用紙を一回だけ数枚出し、それを返したりまたはそのまま使用したりすると、物資または時間の浪費になる上、衛生用紙を汚す欠点もある（この平判状衛生用紙の紙取り方式は以下指摘み式と略称する）。
【０００３】
前記従来の指摘み式の欠点を解消するために、図１０及び１１に示されているような紙取り出し装置８が市販されている。該紙取り出し装置８は、主として、その周壁８１１の一側面のほぼ全面に取出口８１３が形成してあり且つそのカバーとしての頂壁８１２にスリット８１４が取出口８１３の方へ延伸するように形成してある平判式衛生用紙の収納箱８１と、収納箱８１の頂壁８１２にスリット８１４に沿って取出口８１３の方へ摺動し、且つ摺動時にその平判式衛生用紙に上から接触している摩擦ローラー８２１の摩擦力により平判式衛生用紙を上から一枚ずつ携えて取出口８１３から露出させる紙供給作業をすることができるように設けられている紙取り出し具８２と、紙取り出し具８２の作動を起こすリンク機構８３１と紙供給済みの紙取り出し具８２を元の位置に戻すばね８３２とを有する操作部材８３とから構成されていて、リンク機構８３１が展開操作されるともともと衛生用紙を上から自重で押圧している摩擦ローラー８２１が一番上の衛生用紙を携えて前方へその前縁を取出口８１３から露出させ、そしてリンク機構８３１が放されると摩擦ローラー８２１がばね８３２の復帰力により収斂され元の位置へ戻ることができる（この平判状衛生用紙の紙取り出し装置８は以下リンク機構式と略称する）。
【発明の開示】
【発明が解決しようとする課題】
【０００４】
しかしながら、前記従来のリンク機構式は、摩擦ローラー８２１と平判状衛生用紙との間にある接触面積がそれぞれ一線だけであって極めて小さいので、摩擦ローラー８２１を多く設置しなければ、それによる摩擦抵抗が僅少で、平判式衛生用紙を一回の操作だけで順調に掻き出すことが困難であり、また、摩擦ローラー８２１を多く設置すると、機構が複雑となり、コストと使用寿命の問題にもなる。それに、前記供給行程にある摩擦力と復帰行程にある摩擦力とは殆ど差異がなく、リンク機構８３１が放されると摩擦ローラー８２1は前縁が一旦露出した衛生用紙を携えて元の位置に戻る可能性が大であるので、かなり操作しにくくて実用性が低いという欠点もある。なお、その高さが次第に下がる平判式衛生用紙を上から一枚ずつ取出すため、取出口８１３は少なくとも平判状衛生用紙の元の高さより少し大きく開口しなければならないので、泥、埃、あるいは水洗時のとばしりがそれを通して収納箱８１の中に飛び込んで、平判状衛生用紙を汚したり濡らしたりしやすいという問題もある。
【０００５】
上記に鑑みて、本発明は、泥や埃、水洗時のとばしりなどの浸入を避けるために、平判状衛生用紙の紙取り出し装置の取出口を衛生用紙一枚の厚さより少々大きい位だけのサイズに減らそうとする。
【０００６】
それを目指して、本発明は、重ねて収納した複数の平判式衛生用紙を下の小さい取出口から容易に取出すことができる平判状衛生用紙の紙取り出し装置を提供しようとすることをその第１の目的とする。
【０００７】
そして、本発明は、更に、操作時に力の入れ方の加減を従来の指摘み式より容易にまたはまったく必要でないようにさせ、且つ、従来のリンク機構式のように復帰行程に前縁が一旦露出した衛生用紙を携えて元の位置に戻ることなく衛生用紙を順調に送出するために、平判状衛生用紙の紙取り出し装置の機構を、一番下にある衛生用紙に与える摩擦力が供給行程において用紙間の摩擦力より遥かに大きく復帰行程において用紙間の摩擦力より遥かに小さいようにさせようとする。
【０００８】
それを目指して、本発明は、まず、一番下の衛生用紙と接触面積が広くて摩擦抵抗が大きい機構を有する平判状衛生用紙の紙取り出し装置を提供しようとすることをその目的（第２の目的）とし、そしてまた、前記の外、更に、供給行程と復帰行程とからなるサイクルに人による力の入れ方の加減が必要でなく所定の循環ルートに従って作用する機構を有する平判状衛生用紙の紙取り出し装置をも提供しようとすることをその目的（第３の目的）とする。
【課題を解決するための手段】
【０００９】
上記第１及び第２の目的を達成するために、本発明は、まず、上下互いに重なる複数の平判状衛生用紙を収納したままで下から一枚ずつ取り出す平判状衛生用紙の紙取り出し装置であって、互いに重なる複数の平判状衛生用紙を下から受持つ底壁と、底壁の周縁から上へ延出してなっており且つその前面になる一側面の底壁との堺の直上に衛生用紙を供出するための取出口が開けてある周壁とを少なくとも有する収納箱と、収納箱内の底壁上に敷設されていて下から上へ力を入れられると互いに重なる複数の平判状衛生用紙を下から押圧しそれと一番下にある衛生用紙との間の摩擦抵抗が用紙間の摩擦抵抗より高くなる摩擦板と、収納箱の底壁と周壁とからなった箱体に、収納箱外に露出したハンドルに操作されて摩擦板を上下及び前後に移すことができるように設置構成されている操作手段とを備えており、それにより、摩擦板が上げられてから、一番下の衛生用紙を押圧しながら携えるように該衛生用紙を前方へその前縁が取出口から露出するまでに移され、そして該一番下の衛生用紙への押圧を解除するように下げられてから後方へ戻されることが可能であることを特徴とする平判状衛生用紙の紙取り出し装置を提供する。
【００１０】
そして、上記第３の目的を達成するために、本発明は、さらに、上記操作手段を、収納箱内の底壁と周壁とからなった箱体に、収納箱外に露出したハンドルと、摩擦板に連結されていてそれを移すことができる連結部と、ハンドルと連結部との間に、箱体と、連結部を介して摩擦板を上げてから、一番下の衛生用紙を押圧しながら携えるように該衛生用紙を前方へその前縁が取出口から露出するまでに移し、そして該一番下の衛生用紙への押圧を解除するように下げてから後方へ戻すサイクルを行なうカム機構関係となっている作業部とで構成する。
【発明の効果】
【００１１】
上記構成による本発明の平判状衛生用紙の紙取り出し装置は、ローラーの代わりに摩擦板を使用し平判状衛生用紙との摩擦抵抗が上がるため、平判状衛生用紙等のような薄いものでも、一枚ずつ容易に取り出すことができる。また、取出口の寸法を極端に縮小することにより湿気や埃、水洗時のとばしり等の浸入の可能性が減少でき、平判状衛生用紙を長期間奇麗に保つことができる。
【００１２】
そして、前記サイクルがカム機構で行われる場合、摩擦抵抗を起こす一番下の衛生用紙への押圧が所定の変化に従うので、衛生用紙を一枚ずつ確実に取出すことができる上、力の入れ方の加減も必要でないようになる。
【発明を実施するための最良の形態】
【００１３】
以下、図面を参照しながら，本発明に係る平判状衛生用紙の紙取り出し装置の実施形態を説明する。まず、本発明の第一の実施形態において、上下互いに重なる複数の平判状衛生用紙９を収納するための平判状衛生用紙の紙取り出し装置は、図１及び図２に示すように、単純な支持ボックスや物の収納ボックスとしての三角形の箱体からなった台座１と、台座１の斜面にその前側が後側より高くなるように斜めに設置されている収納箱２と、収納箱２内に、複数の平判状衛生用紙９がすでに収納された場合、それを上から押し下げてその一番下にある一枚と摩擦板４２との間の摩擦抵抗を高くさせる押し付け部材３と、収納箱２の前端近くの下方に設けられた紙取出し機構４とを備えている。
【００１４】
収納箱２は、台座１に斜めに掲げられていて上方の内側面２１１と下方の外側面２１２とを有し且つ内側面２１１で互いに重なる複数の平判状衛生用紙９を下から受持つ略長方形の底壁２１と、底壁２１の周縁から上へ延出してなっており且つその前面になる一側面の底壁２１との堺の直上に衛生用紙９を供出するための取出口２２１が開けてある周壁２２と、底壁２１と周壁２２とによって囲んでなっていると共に上方の上開口が形成してある収納空間２３と、収納空間２３の上開口を閉めるように周壁２２の頂端部に引出し可能に取り付けられているカバー２４とを備えている。底壁２１上に前後方向に延伸している通孔２１３が内側面２１１と外側面２１２を上下貫通するように開けてある。外側面２１２の通孔２１３の左右両側における少なくとも一側に突壁２１４が底壁２１の下面に前後方向に延在してある。この突壁２１４は底壁２１と一体になっていて底壁２１の一部分とも底壁２１と周壁２２などからなった箱体全体の一部分とも見なされる。そして、カバー２４は上記のような引出し式に限らず、その一端が周壁２２の頂端部に回転可能に軸支されているものも良く、周壁２２の頂端正面から収納空間２３を着脱可能に閉じることができるものも良い。
【００１５】
本実施形態における押し付け部材３は、その上下方向にある側面の面積が収納空間２３の面積とほぼ同一であって、複数の平判状衛生用紙９が収納箱２内にすでに収納された場合、その自重で上から押し下げて平判状衛生用紙９と摩擦板４２との間の摩擦抵抗を高くすることができるものであるが、それに限らず、力関係の設計で、押し付け部材３の面積が収納空間２３の面積より遥かに小さくても差し支えない。
【００１６】
図３及び図４を参考するように、紙取出し機構４は、突壁２１４に設けられている操作手段４１と、収納箱２内の底壁２１上に敷設されており且つ操作手段４１に連結されている摩擦板４２とから構成されている。操作手段４１は収納箱２の箱体外（図示のは突壁２１４の下）に露出したハンドル４１１と、摩擦板４２に連結されていてそれを移すことができる連結部４１３と、ハンドル４１１と連結部４１３との間に、箱体の一部である突壁２１４と、連結部４１３を介して摩擦板４２を上げてから、一番下の衛生用紙９を押圧しながら携えるように該衛生用紙９を前方へその前縁が取出口２２１から露出するまでに移し、そして該一番下の衛生用紙９への押圧を解除するように下げてから後方へ戻すサイクルを行なうカム機構関係となっている作業部４１２とを含んでいる。ここで、ハンドル４１１と連結部４１３とは連桿４１４を介して互いに連結して一体になっている。作業部４１２は、連桿４１４に軸支されているローラーからなっている。
【００１７】
そして、本実施形態において、突壁２１４は通孔２１３の左右両側にも設けてある。詳しくは、左右二つの突壁２１４の間に操作手段４１を貫設するための隙間４３が形成してあり、また、突壁２１４の互いに見合わせている側面２１５にそれぞれ二つの凹部４４が前後方向に延伸する上一連になるように間隔を隔てて形成してある。凹部４４のほぼ中央位置にガイドブロック４５がそれぞれ凹部４４の内周縁とハンドル４１１に連動する作業部４１２を案内してサイクルをさせるカム溝４６を挟んで形成するように設置されている。ガイドブロック４５は、取出口２２１に近い前端部４５２と遠い後端部４５１とを有し、該前端部４５２と該後端部４５１との少なくとも一つ（図示のは前端部４５２だけ）が先細になっていて可撓性がある上、その先端（図示のは前端部４５２の先端）が該サイクルの方向を斜めに横断するように曲がっていてサイクル移動によって撓んでカム溝４６を開け反サイクル移動に対抗してカム溝４６をもっと閉じることができるように構成されている。作業部４１２のローラー状の左右両側端は左右両側にそれぞれある突壁におけるカム溝４６内にそれに沿って転がって移動することができるように設置されている。この実施形態において、収納箱２の前側が後側より高くなっているので、他の反対作用力がなければ、作業部４１２はいつも操作手段４１の自重によるローラーのカム溝４６内に沿う凹部４４の取出口２２１に遠い後端への転がりで後側に保持されている。
【００１８】
以上のように、操作手段４１は作業部４１２を介してカム溝４６と、前記連結部４１３を介して前記摩擦板４２を上げてから、一番下の衛生用紙９を押圧しながら携えるように該衛生用紙９を前方へその前縁が前記取出口２２１から露出するまでに移し、そして該一番下の衛生用紙９への押圧を解除するように下げてから後方へ戻すサイクルを行なう関係となっているだけでなく、常時、前記後方にあって前記サイクルのように作動されるように用意している。
【００１９】
摩擦板４２は連結部４１３のハンドル４１１に遠い一端部に連結されていると共に収納箱２内の内側面２１１上に付設されている。摩擦板４２はその平判状衛生用紙９を下から接触する面（即ち上側面）に紙やすりが接着してある平板状のものまたは他の手段や加工で荒くて摩擦抵抗が紙やすりのように高いものである。
【００２０】
図２および図４に示すように、本発明の紙取り出し装置は使用時、まず、平判状衛生用紙９を収納箱２内に入れて、押し付け部材３を一番上の平判状衛生用紙９に押圧し、それからカバー２４を周壁２２の頂端部に収納空間２３を閉じるように安置する。そうすると、一番下の平判状衛生用紙９が押し付け部材３の押圧により摩擦板４２と密接する。
【００２１】
更に図５に示すように、操作手段４１のハンドル４１１を握ってそのローラーがカム溝４６に沿って移動するように作業すると、摩擦板４２はまず連結部４１３を介して上げられてから、一番下の衛生用紙９を押圧しながら携えるように該衛生用紙９を前方へその前縁が取出口２２１から露出するまでに移され、そして該一番下の衛生用紙９への押圧を解除するように下げられてから後方へ戻される図４のようなサイクルを行なうことができる。
【００２２】
図６及び図７に示すように、本発明の第二の実施形態において、上下互いに重なる複数の平判状衛生用紙９を収納するための平判状衛生用紙の紙取り出し装置は、収納箱２と、収納箱２内に置かれている押し付け部材３と、収納箱２に設けられている紙取出し機構４とを備えている。即ち、本実施の形態において、第一の実施形態における構造及び部材と異なるところは第一の実施形態より台座が除去される上、収納箱２が立ち上がって底壁２１が直立の状態になったことにある。
【００２３】
また、平判状衛生用紙９を収納箱２内に収納した場合、押し付け部材３の平判状衛生用紙９への押圧により平判状衛生用紙９と摩擦板４２との間に充分な摩擦抵抗を生じさせるため、カバー２４の下面に弾性手段２５が下方へ延伸するように付設されていて収納箱２内に複数の平判状衛生用紙９が収納されてからカバー２４が該上開口を閉めるように取り付けられた場合、複数の平判状衛生用紙９に押されて縮む上、その弾力で複数の平判状衛生用紙９を上から押してその一番下にある一枚と摩擦板４２との間の摩擦抵抗を高くなるようにすることができる。そして、収納箱２内に、更に、複数の平判状衛生用紙９がすでに収納された場合、その上面に配置されることができ、また、更にカバー２４が該上開口を閉めるように取り付けられた場合、弾性手段２５の弾力を受けて下の前記複数の平判状衛生用紙９に伝えることができる押し付け部材３が付設されている。ここで、本実施形態では、弾性手段２５とは、その個数が二つであり、且つそれぞれ間隔を隔てて押し付け部材３の上端部と下端部とにそれぞれ弾力を加えるように取り付けられているスプリングをいう。
【００２４】
本発明の第三の実施形態である、上下互いに重なる複数の平判状衛生用紙９を収納するための平判状衛生用紙の紙取り出し装置は、図８及び図９に示すように、左右に間隔を隔てて支持面（例えば机面）に置かれる一対の台座１と、台座１に載置されている収納箱２と、収納箱２内に置かれている押し付け部材３と、収納箱２に設けられている紙取出し機構４とを備えている。第一の実施形態における構造及び部材と異なるところは、底壁２１の下方の外側面２１２に操作手段４１の操作を妨げないような高さまで掲げる台座１が設けられており、周壁２２が直立の状態になるようにほぼ水平に位置して形成されていることにある。そうすると、押し付け部材３も略水平に置かれていてその下の衛生用紙９を押し下げることができる。また、カム機構関係のサイクルにおいて、該一番下の衛生用紙９への押圧を解除するように下げてから操作手段４１をそれ自体で後方へ戻ることができるようにするため、正反対の両端を有し且つそれぞれ突壁２１４と操作手段４１とに連結されており、操作手段４１を取出口２２１に遠い方向へ移動するように付勢する弾性手段４７が付設してある。
【産業上の利用可能性】
【００２５】
本発明の平判状衛生用紙の紙取り出し装置は、操作手段が収納箱の下方に設けられると共に、従来のローラーの代わりに接触面積の大きい摩擦板を使用して摩擦板と衛生用紙との間の摩擦抵抗を増大させ、中身の衛生用紙の取出し性が向上し且つよりスムーズに収納箱内から衛生用紙を取り出すことができ、また取出口の開口面積を従来より小さくすることで外部の塵や異物に対して内容物を保護する効果がある。なお、人為制御の手間を免除すると共に所定のサイクルを行なうカム機構関係の使用によって紙取り出し装置における操作の自動化が可能になる。
【図面の簡単な説明】
【００２６】
【図１】本発明の第一の実施形態における紙取り出し装置を示す斜視図。
【図２】本発明の第一の実施形態における紙取り出し装置を示す断面図。
【図３】本発明の第一の実施形態の突壁に設けられている紙取出し機構を示す分解斜視図。
【図４】本発明の第一の実施形態の紙取り出し装置における操作手段の作動を示す要部断面図。
【図５】本発明の第一の実施形態における紙取り出し装置の紙取り出し状態を示す断面図。
【図６】本発明の第二の実施形態における紙取り出し装置を示す斜視図。
【図７】本発明の第二の実施形態における紙取り出し装置を示す断面図。
【図８】本発明の第三の実施形態における紙取り出し装置を示す斜視図。
【図９】本発明の第三の実施形態における紙取り出し装置を示す断面図。
【図１０】従来の紙取り出し装置を示す斜視図。
【図１１】従来の紙取り出し装置を示す断面図。
【符号の説明】
【００２７】
１…台座、２…収納箱、２１…底壁、２１１…内側面、２１２…外側面、２１３…通孔、２１４…突壁、２１５…側面、２２…周壁、２２１…取出口、２３…収納空間、２４…カバー、２５…弾性手段、３…押し付け部材、４…紙取出し機構、４１…操作手段、４１１…ハンドル、４１２…作業部、４１３…連結部、４１４…連桿、４２…摩擦板、４３…隙間、４４…凹部、４５…ガイドブロック、４５１…後端部、４５２…前端部、４６…カム溝、４７…弾性手段、９…衛生用紙。
【図１】
2007008629.tif 000003
【図２】
2007008629.tif 000004
【図３】
2007008629.tif 000005
【図４】
2007008629.tif 000006
【図５】
2007008629.tif 000007
【図６】
2007008629.tif 000008
【図７】
2007008629.tif 000009
【図８】
2007008629.tif 000010
【図９】
2007008629.tif 000011
【図１０】
2007008629.tif 000012
【図１１】
2007008629.tif 000013